(57)【要約】【課題】ランプ、特にポケットランプの新しい構造的な構成において、簡単かつ安価で、しかも機能的に耐性のあるように構成されたものを提供する。【解決手段】画像担体が、長手軸線方向に可動な摺動スリーブ内に配置されており、この摺動スリーブの長手軸線方向の摺動により、光源から収束レンズまでの間隔も画像担体から収束レンズまでの間隔も変更可能になっているようにした。【選択図】図１
2004361955.tif 000002
【特許請求の範囲】
【請求項１】
バッテリ作動式の棒状のランプであって、端面に配置された収束レンズ（２２）と、光源としての少なくとも１つの発光ダイオード（１２）と、収束レンズ（２２）と光源（１２）との間に配置された部分透光性の画像担体（２０）とが設けられている形式のものにおいて、画像担体（２０）が、長手軸線方向に可動な摺動スリーブ（１６）内に配置されており、該摺動スリーブ（１６）の長手軸線方向の摺動により、光源（１２）から収束レンズ（２２）までの間隔も画像担体（２０）から収束レンズ（２２）までの間隔も変更可能になっていることを特徴とする、バッテリ作動される棒状のランプ。
【請求項２】
摺動スリーブ（１６）が、案内スリーブ（１７）内で長手軸線方向に摺動可能になっており、該案内スリーブ（１７）が、ランプヘッド（２１）を形成するスリーブに結合されており、該スリーブの端面に、収束レンズ（２２）が固定されている、請求項１記載のランプ。
【請求項３】
ランプヘッド（２１）を形成するスリーブが、雌ねじを有しており、該雌ねじが、案内スリーブ（１７）の対応する雄ねじ山によりねじ込まれるようになっている、請求項２記載のランプ。
【請求項４】
摺動スリーブ（１６）が、少なくとも２つの、有利には４つの長手方向スリット（１８）を有しており、該長手方向スリット（１８）が、一方の端部から出発して、長手軸線方向に前記摺動スリーブ（１６）の一部にわたって延在しており、これにより、摺動スリーブ（１６）が、一方の端部から押し広げ可能になっており、有利には摺動スリーブ（１６）の周面に、付加的に環状のリング溝（１９）が設けられており、該リング溝（１９）が、長手方向スリット（１８）に交差しており、前記リング溝（１９）内に、保持リングが挿入可能になっている、請求項１から３までのいずれか１項記載のランプ。
【請求項５】
摺動スリーブ（１６）が、発光ダイオード（１２）に向いている方の端部に、直径のより小さいスリーブ状の延長部（１５）を有しており、該延長部（１５）にねじ、有利には雄ねじ山が設けられており、ねじが、ランプケーシング部分の対応するねじに係合し、このランプケーシング部分に、光源が固定されている、請求項１から４までのいずれか１項記載のランプ。
【請求項６】
スリーブ状の延長部（１５）の雄ねじ山が、アダプタ（１３）の雌ねじに係合し、該アダプタ（１３）が、ランプケーシング（１０）によりねじ込まれている、請求項５記載のランプ。
【発明の詳細な説明】
【技術分野】
【０００１】
本発明は、バッテリ作動式の棒状のランプであって、端面に配置された収束レンズと、光源として少なくとも１つの発光ダイオードと、収束レンズと光源との間に配置された部分的に透明な画像担体とが設けられている形式のものに関する。
【背景技術】
【０００２】
この形式のランプが、ドイツ連邦共和国特許実用新案第２０００６７６１号明細書につき公知である。このランプは、光源と収束レンズとの間に、少なくとも部分的に光透性又はスペクトル色をフィルタにかける円板状のボディを光路に有しており、この場合に、このボディは、有利には透光性のスライド画像又は部分的に打抜き加工された、例えば金属又はプラスチックから成っていてよいシートである。これにより、ランプを社章、製品表示又はこれに類するものを画像の形で投影可能な宣伝担体として使用する可能性が利用される。ミニポケットランプ型の手持ランプは、これにより、簡単に持ち運びすることのできる小型のスライドプロジェクタになり得る。光路に配置されたボディはスリットを介してケーシングに押込み可能になっている。場合によっては、収束レンズ若しくは収束レンズの代わりに用いられる、画像を鮮明度調節するためのレンズ系が、ケーシング内に長手軸線方向に摺動可能に配置されていてよい。この形式のランプの小型の構成では、しかしながら、画像担体の挿入が困難であり、画像担体は特に劣悪にロックされかねないので、光路における画像担体の長手軸線方向の固定及び垂直な整列は満足に行われない。実際には、多くの場合画像担体の迅速な交換可能性は必要とされない。
【特許文献１】ドイツ連邦共和国特許実用新案第２０００６７６１号明細書
【発明の開示】
【発明が解決しようとする課題】
【０００３】
そこで本発明の課題は、ランプ、特にポケットランプの新しい構造的な構成において、簡単かつ安価で、しかも機能的に耐性のあるように構成されたものを提供することである。さらに、光路に設けられた画像担体の装置が、光学的に鮮明な画像の形成を可能にすることが望ましい。
【課題を解決するための手段】
【０００４】
この課題を解決した本発明の手段によれば、バッテリ作動式の棒状のランプがにおいて、画像担体が長手軸線方向に可動な摺動スリーブ内に配置されており、この摺動スリーブの長手軸線方向の摺動により、光源から収束レンズまでの間隔も画像担体から収束レンズまでの間隔も変更可能になっている。
【発明の効果】
【０００５】
前記手段により、ポケットランプが光学的に鮮明な画像を形成することが保証される。発光ダイオード（ＬＥＤ）が光源として使用される場合には、特にランプは小型のポケットランプの形で構成され得る。発光ダイオードは、従来の電球に比べて複数の利点を有している。一方では、発光ダイオードは電球よりも遥かに強い耐衝撃性を有しており、他方ではより小容積である。さらに発光ダイオードの電流消費は、電球に比べて著しくわずかなのでバッテリ容量が長持ちする、若しくは使用されたバッテリが蓄電装置の形でより長く使用可能である。
【０００６】
収束レンズが、長手軸線方向に摺動可能に配置されたランプヘッド内に配置されていることにより、形成された光円錐が最適に調節され得る。付加的に、部分透光性のボディを有する摺動スリーブは、該当対象を壁又は床に結像することを可能にする。特に、部分透光性ボディとしては、プラスチックディスクが適しており、このプラスチックディスクは例えば社章を表す。このことは、ランプケーシングに印刷された、又は貼り付けられた、又はそうでなければ例えば刻印された社章に比べて、社章自体が外部の機械的な作用に対して保護されているという利点を有する。ポケットランプをスイッチオン時に、対応するスクリーン状の面を照明した場合に、独特に作用する予期せぬ画像が生ぜしめられる。それにもかかわらず、この画像は照明手段としてのポケットランプの通常の使用を妨げることはない。
【０００７】
本発明の発展形が従属請求項に記載されている。
【０００８】
従って、有利には摺動スリーブは案内スリーブ内で長手軸線方向に摺動可能になっており、この場合に、案内スリーブは、ランプヘッドを形成するスリーブに結合されており、このスリーブの端面には収束レンズが固定されている。本発明の別の構成では、ランプヘッドを形成するスリーブは雌ねじを有しており、この雌ねじは、案内スリーブの対応する雄ねじ山によりねじ込み可能になっている。この手段により、ランプヘッドと案内スリーブとの間の、覆い隠されていて外側から不可視な結合が形成される。この結合は、例えば収束レンズの交換が望まれる場合には、解離可能にもなっている。
【０００９】
本発明の別の１構成によれば、摺動スリーブは少なくとも２つの、有利には４つの長手方向スリットを有しており、これらの長手方向スリットは、一方の端部から出発して、長手軸線方向に摺動スリーブの一部にわたって延びており、これにより、摺動スリーブは、この端部から押し広げ可能になっている。この手段は、画像担体を摺動スリーブに、より簡単に挿入し、この場所に固定するために用いられる。画像担体を、挿入された位置でより良好に固定するために、摺動スリーブの外周面は、押し広げ可能な端部に、付加的に環状のリング溝を有しており、このリング溝は、長手方向スリットと交差しており、このリング溝内には保持リングが挿入可能になっている。この保持リングは、前記スリーブの押広げ端部を固定する。
【００１０】
本発明の１発展形によれば、摺動スリーブは、発光ダイオードに向いている方の端部に、直径のより小さいスリーブ状の延長部を有しており、この延長部はねじを備えており、このねじは、有利には雄ねじ山の形で形成されている。このねじは、光源が固定されているランプケーシング部分の対応するねじに係合する。場合によっては、スリーブ状の延長部の雄ねじ山はアダプタの雌ねじにも係合し、アダプタはランプケーシングによりねじ嵌められる。アダプタは同様にスリーブ状に形成されており、ねじ込まれた状態で単数若しくは複数の発光ダイオードを保護する。例えばこの発光ダイオードに欠陥があり、交換される必要がある場合には、アダプタをねじって取り外すことにより発光ダイオードは解放され得るようになっている。
【発明を実施するための最良の形態】
【００１１】
次に本発明のさらなる構成を図面につき説明する。
【００１２】
ポケットランプが、ランプケーシング１０を有しており、このランプケーシング１０は、後ろ側で、ねじで取り外し可能なカバー１１により閉じられている。このカバーをねじって取り外した後には、１つの若しくは複数のバッテリがバッテリ引出しに挿入される、若しくは押し込まれる。ランプケーシングには、さらに発光ダイオード１２のための保持部が固定されており、この発光ダイオード１２はアダプタ１３によって保護される。アダプタ１３は、外周面１４に雄ねじ山（図示しない）を有しており、この雄ねじ山は、ランプ本体の対応する雌ねじにねじ込まれている。前記外周面１４は、前方に向けられたアダプタ部分の外周面よりも直径が大きく形成されている。内周面の前側の範囲に、アダプタ１３は雌ねじを有しており、この雌ねじは、スリーブ状の延長部１５の雄ねじ山に対応して形成されている。このスリーブ状の延長部１５の雄ねじ山（図示しない）は、アダプタ１３の雌ねじにねじ込み可能になっている。
【００１３】
前記延長部１５は摺動スリーブ１６の一部であり、この摺動スリーブ１６は、案内スリーブ１７内で長手軸線方向に可動に支承されている。摺動スリーブ１６は４つの長手方向スリット１８を有している。しかしながら、これらの長手方向スリット１８は、摺動スリーブ１６の一部にわたってのみ延在している。さらに摺動スリーブ１６は、前方に向けられた端部に環状のリング溝１９を有しており、この環状のリング溝１９は長手方向スリット１８と交差する。この環状のリング溝１９はリングを収容するために働き、このリングによって、端部を押し広げスリーブの形で形成された摺動スリーブ１６は、半径方向に固定可能になっている。円形かつ短い円筒状に形成された画像担体を挿入するためには、摺動スリーブ１６が軽く押し広げられる。画像担体は、できるだけ遠くまで延長部１５の方向に押し込まれる。場合によっては摺動スリーブ１６に内周面−リング溝を設け、この内周面−リング溝に画像担体が「係止される」ようにしてもよい。一般的にはこのことは必要がない。なぜならば、摺動スリーブ１６内の担体は、摩擦接続的な押圧によって良好に位置固定され得るからである。画像担体が摩擦接続位置からランプヘッドの方へずれることを阻止するために、次いでリング、例えば弾性的なＯ−リングがリング溝１９に挿入される。
【００１４】
画像担体は、図１に符号２０で示されている。
【００１５】
ランプヘッド２１には、収束レンズ２２がＯ−リング２３により前側に固定される。収束レンズ２２は、光学機器により基本的に公知のような収束レンズと発散レンズとから成るレンズ系としても理解される。組み立てられた状態では、ランプは押しボタン２４を介してスイッチオン・オフされる。場合によってはこのスイッチ２４は、ランプスリーブ１０に回転可能に配置されたクリップ２５によって覆うこともできるようになっており、これにより、スイッチ２４は誤操作に対して保護される。
【００１６】
カバー１１には、さらに付加的な部分球状の突出部２６が固定されており、この突出部２６は貫通孔２７を有しており、この貫通孔２７を介してトライアングル形の固定手段又はキーリングが案内され得るようになっており、これにより、ポケットランプはベルトストラップ又は鉤束に固定することもできる。さらに以下に述べるように、ランプヘッド２１は長手軸線方向に摺動され得る（図３参照）。具体的な１実施例では、ランプの長さは約８ｃｍであり、ランプヘッド２１を引き出すことにより約１ｃｍ分だけ、９ｃｍまで拡張することができるようになっている。
【００１７】
ランプヘッド２１は付加的にさらに雌ねじを有しており、これにより、周面部分２８に設けられた雄ねじ山（図示しない）によりねじ込まれるようになっている。このねじ結合は次のように構成されている、すなわち、案内スリーブ１７が小さいリング部分２９まで完全にランプヘッド２１内に「姿を消す」ように構成されている。もちろん摺動スリーブ１６は、案内スリーブ１７内で、ひいてはランプヘッド２１の内部でも長手軸線方向に摺動可能になっており、これにより、画像担体と収束レンズとの間の間隔が変更可能になっている。前記延長部１５は、案内スリーブ１７の内径に対して所定環状範囲を解放する外径を有しており、これにより、アダプタ１３の、直径のより小さい部分がこの環状範囲で前後に摺動可能になっており、この場合に、対応する長手軸線方向の運動により摺動スリーブ１６は案内スリーブ１７内で摺動される。ランプヘッドが押し込まれている場合には、アダプタ１３の直径より小さい部分は完全に案内スリーブ１７内に押し込まれており、この案内スリーブ１７は再びランプヘッド２１に堅固に結合されている。ランプヘッド２１が引き出された場合には、アダプタ１３と摺動スリーブ１６とのねじ結合に基づいて、アダプタ１３の、直径のより小さい前方の周面部分が露出される。
【００１８】
対応したストッパにより、摺動スリーブ１６は案内スリーブ１７から完全に引き出され得ないことが確保されている。それぞれの終端位置では、延長部１５の雄ねじ山が完全に案内スリーブ１７内に沈められているか又は引き出されており、この場合、図１に見られる延長部１５の突出部はこの突出部に続くより大きい周面部分まで案内スリーブ１７と結合して前記ストッパを形成する。
【００１９】
完全に取り付けられた状態では、公知の光学的法則に基づいて、画像担体の対象が壁若しくはスクリーンに鮮明に結像されるただ１つの位置が存在する。対象距離と画像距離との和の逆数は、収束レンズの焦点距離の逆数に相応するという条件を満たすために、ランプヘッドは、照明される面に応じて摺動されなければならない。このことは手により簡単に可能である、すなわち、ランプボディ１０を把持し、親指と人差し指とにより、ランプヘッドは、対象モチーフの鮮明な結像のために摺動される。案内スリーブ１７と摺動スリーブ１６とはユニットの形で必要に、応じて、例えば別の画像モチーフを備えた別のユニットを使用することができるように交換することができる。
【図面の簡単な説明】
【００２０】
【図１】本発明によるポケットランプの１実施例の分解図である。
【００２１】
【図２】ランプヘッドが押し込まれた、図１によるポケットランプの斜視図である。
【００２２】
【図３】ランプヘッドが引き出された、図１によるポケットランプの斜視図である。
【符号の説明】
【００２３】
１０  ランプケーシング、  １１  カバー、 １２  発光ダイオード、  １３  アダプタ、  １４  外周面、  １５  延長部、  １６  摺動スリーブ、  １７  案内スリーブ、  １８  長手方向スリット、  １９  リング溝、  ２０  画像担体、  ２１  ランプヘッド、  ２２  収束レンズ、  ２３  Ｏ−リング、  ２４  押しボタン、  ２５  クリップ、  ２６  突出部、  ２７  貫通孔、  ２８  周面部分、  ２９  リング部分
【図１】
2004361955.tif 000003
【図２】
2004361955.tif 000004
【図３】
2004361955.tif 000005